(57)【要約】【課題】  輸送時や保管時に不測の封止部材の破損を防止しうる医療器具消毒用具及び医療器具消毒ユニットを提供すること。【解決手段】容器本体は、他の医療器具消毒用具の収容部３１を格納可能な格納部３３と、一方が底面部３５に接し且つ他方が格納部３３と連通する連通部３４とをさらに有する。格納部３３は、内面３７ｙが第一側面部３６の外面３６ｘに対し略平行である第二側面部３７により形成される。連通部３４は、縁部３５ａから格納部３３へ向けて設けられる第三側面部３８により形成される。第三側面部３８は、その外面に第二側面部３７が接続される接続部３８ｃを有する。接続部３８ｃは、他の医療用消毒用具の第二側面部を載置可能な載置部３８ｂを有する。第二側面部３７の軸方向長さＬ１は、載置部３８ｂから開口部３２までの軸方向長さＬ２より大である。【選択図】    図４
2019141352.tif 000002
【特許請求の範囲】
【請求項１】
医療器具の一部を消毒する消毒液が含浸された消毒部材と、底面部と前記底面部の縁部に立設された第一側面部とにより形成され且つ前記消毒部材が収容される収容部を有する容器本体と、前記収容部の上端に形成された開口部を封止する封止部材とを有する医療器具消毒用具であって、
前記容器本体は、他の医療器具消毒用具の収容部を格納可能な格納部と、一方が前記底面部に接し且つ他方が前記格納部と連通する連通部とをさらに有し、
前記格納部は、内面が前記第一側面部の外面に対し略平行である第二側面部により形成され、
前記連通部は、前記縁部から前記格納部へ向けて設けられる第三側面部により形成され、
前記第三側面部は、その外面に前記第二側面部が接続される接続部を有し、
前記接続部は、前記他の医療用消毒用具の第二側面部を載置可能な載置部を有し、
前記第二側面部の軸方向長さは、前記載置部から前記開口部までの軸方向長さより大である医療器具消毒用具。
【請求項２】
前記第一側面部の上側外面には、前記封止部材の縁部を収容する収容凹部が形成されている請求項１記載の医療器具消毒用具。
【請求項３】
前記第二側面部は、その外面に前記容器本体の軸方向に沿う第一のリブを複数有する請求項１又は２記載の医療器具消毒用具。
【請求項４】
前記容器本体は、前記第二側面部と前記第三側面部とを係合させる係合手段をさらに有する請求項１〜３のいずれかに記載の医療器具消毒用具。
【請求項５】
前記係合手段は、前記第二側面部の内面から内方に向けて突出する第一凸部と、前記第三側面部の外面から外方に向けて突出する第二凸部よりなる請求項４記載の医療器具消毒用具。
【請求項６】
前記第一側面部は、その内面に前記容器本体の軸方向に沿う第二のリブを複数有する請求項１〜５のいずれかに記載の医療器具消毒用具。
【請求項７】
前記容器本体は、合成樹脂にて一体成型されてある請求項６記載の医療器具消毒用具。
【請求項８】
前記消毒部材は、ガーゼ、綿球及び発泡体のいずれかである請求項１〜７のいずれかに記載の医療器具消毒用具。
【請求項９】
請求項１〜８のいずれかに記載の医療用消毒用具を二つ以上重ね合わせてなる医療器具消毒ユニット。
【請求項１０】
最上段には、前記容器本体のみからなる保護キャップが設けられている請求項９記載の医療器具消毒ユニット。
【発明の詳細な説明】
【技術分野】
【０００１】
本発明は、医療器具消毒用具及び医療器具消毒ユニットに関する。さらに詳しくは、医療器具の一部を消毒する消毒液が含浸された消毒部材と、底面部と前記底面部の縁部に立設された第一側面部とにより形成され且つ前記消毒部材が収容される収容部を有する容器本体と、前記収容部の上端に形成された開口部を封止する封止部材とを有する医療器具消毒用具及び医療器具消毒ユニットに関する。
【背景技術】
【０００２】
従来、上述の如き医療器具消毒用具として、例えば特許文献１に記載の如きものが知られている。この消毒用具は、ハウジング内に抗菌消毒剤を含浸させたインサートが収容され、取り外し可能な蓋によって封止されている。しかし、蓋が保護される構造ではなく、その意味において、輸送時や保管時における蓋の意図しない破損対策は万全とはいえなかった。
【先行技術文献】
【特許文献】
【０００３】
【特許文献１】特表２０１２−５２２５９３号公報
【発明の概要】
【発明が解決しようとする課題】
【０００４】
かかる従来の実情に鑑みて、本発明は、輸送時や保管時に不測の封止部材の破損を防止しうる医療器具消毒用具及び医療器具消毒ユニットを提供することを目的とする。
【課題を解決するための手段】
【０００５】
上記目的を達成するため、本発明に係る医療器具消毒用具の特徴は、医療器具の一部を消毒する消毒液が含浸された消毒部材と、底面部と前記底面部の縁部に立設された第一側面部とにより形成され且つ前記消毒部材が収容される収容部を有する容器本体と、前記収容部の上端に形成された開口部を封止する封止部材とを備え、前記容器本体は、他の医療器具消毒用具の収容部を格納可能な格納部と、一方が前記底面部に接し且つ他方が前記格納部と連通する連通部とをさらに有し、前記格納部は、内面が前記第一側面部の外面に対し略平行である第二側面部により形成され、前記連通部は、前記縁部から前記格納部へ向けて設けられる第三側面部により形成され、前記第三側面部は、その外面に前記第二側面部が接続される接続部を有し、前記接続部は、前記他の医療用消毒用具の第二側面部を載置可能な載置部を有し、前記第二側面部の軸方向長さは、前記載置部から前記開口部までの軸方向長さより大であることにある。
【０００６】
上記構成によれば、容器本体は、消毒部材が収容される収容部に加え他の医療用消毒容器の収容部を格納可能な格納部をさらに有する。この格納部は、内面が第一側面部の外面に対し略平行である第二側面部により形成されるので、第二側面部を他の医療器具消毒容器の収容部の側面に対向させることができる。
さらに、容器本体は、一方が底面部に接し且つ他方が格納部と連通する連通部を有する。この連通部は、底面部の縁部から格納部へ向けて設けた第三側面部により形成される。また、この第三側面部は、その外面に第二側面部が接続される接続部を有する。よって、底面部を他の医療器具消毒容器の封止部材に対向させると共に接続部を他の医療器具消毒容器の開口部に対向させることができる。
そして、接続部は、他の医療用消毒用具の第二側面部を載置可能な載置部を有し、第二側面部の軸方向長さは、載置部から開口部までの軸方向長さより大である。そのため、他の医療器具消毒用具の第二側面部を載置部に載置すれば、収容部及び封止部材全体が覆われることとなる。その際、第二側面部によって第一側面部が保護されると共に、底面部及び接続部によって封止部材が保護される。よって、輸送時や保管時において、不測の封止部材の破損（破れ）を防止できるので、消毒時まで消毒材料の衛生を担保できる。しかも、使用する際には、一方の医療器具消毒用具を引き抜けばよく、作業性もよい。
【０００７】
係る場合、前記第一側面部の上側外面には、前記封止部材の縁部を収容する収容凹部が形成されているとよい。この収容凹部に封止部材の縁部を収容できるので、格納部への他の医療器具消毒用具の収容部の格納や他の医療器具消毒用具の取り外しの際に、封止部材がその移動を阻害することがなく、作業をスムースに行うことができる。しかも、封止部材の縁部は第二側面部に対向するので、封止部材の破損も防止できる。
【０００８】
また、前記第二側面部は、その外面に前記容器本体の軸方向に沿う第一のリブを複数有するとよい。これにより、格納部の強度を向上させ、その内側に格納される収容部をより強固に保護することができる。しかも、消毒作業時に、滑りを防止でき、作業性も向上する。
【０００９】
前記容器本体は、前記第二側面部と前記第三側面部とを係合させる係合手段をさらに有するとよい。これにより、格納部に収容された他の医療器具消毒用具の収容部の脱落（抜け）を防止し、連結を強固に維持して使用時までの保護状態を保つことができる。
【００１０】
係る場合、前記係合手段は、前記第二側面部の内面から内方に向けて突出する第一凸部と、前記第三側面部の外面から外方に向けて突出する第二凸部よりなるとよい。取り外し時に第一凸部と第二凸部との係合を解除しなければならず、不足の脱落（抜け）を防止できる。また、容器本体の軸方向に沿う直線的な動作を行うだけで係合及びその解除を行うことができるので、作業性もよい。
【００１１】
前記第一側部は、その内面に前記容器本体の軸方向に沿う第二のリブを複数有していてもよい。係る場合、前記容器本体は、合成樹脂にて一体成型されていてもよい。これにより、一体成型に際し、第二のリブが一体成型（抜き）を妨げることはなく、且つ医療器具をこすり洗いする際に、消毒部材が医療器具と共に回転することを防止するので、適切に消毒することができる。前記消毒部材は、ガーゼ、綿球及び発泡体のいずれかであるとよい。
【００１２】
また、上記いずれかに記載の医療器具消毒用具を二つ以上重ね合わせた医療器具消毒ユニットとして実施することができる。さらに、最上段には、前記容器本体のみからなる保護キャップを設けるとよい。
【発明の効果】
【００１３】
上記本発明に係る医療器具消毒用具及び医療器具消毒ユニットの特徴によれば、輸送時や保管時に不測の封止部材の破損を防止することが可能となった。
【００１４】
本発明の他の目的、構成及び効果については、以下の発明の実施の形態の項から明らかになるであろう。
【図面の簡単な説明】
【００１５】
【図１】本発明に係る医療器具消毒用具を示す斜視図である。
【図２】医療器具消毒用具の分解斜視図である。
【図３Ａ】容器本体の平面図である。
【図３Ｂ】容器本体の底面図である。
【図３Ｃ】容器本体の正面図である。
【図３Ｄ】容器本体の左側面図である。
【図４】医療器具消毒用具の縦断面図である。
【図５】本発明に係る医療器具消毒ユニットを示す縦断面図である。
【図６】図５のＢ部拡大断面図である。
【図７】医療器具消毒ユニットから医療器具消毒用具を１個取り外した状態を示す斜視図である。
【図８】医療器具消毒用具の使用方法の一例を示す斜視図である。
【発明を実施するための形態】
【００１６】
次に、適宜添付図面を参照しながら、本発明をさらに詳しく説明する。
本発明に係る医療器具消毒用具１は、図１，２に示すように、大略、医療器具Ｍの一部を消毒する消毒部材２と、消毒部材２を収容する収容部３１を有する容器本体３と、容器本体３の開口部３２を封止する封止部材４とを有する。ここで医療器具Ｍとしては、例えば、コネクタ、ポート、カテーテル、ニードレスバルブ等が挙げられる。なお、収容部３１の開口部３２側を上側、後述する格納部３３の開口部３７ａ側を下側として、以下説明する。
【００１７】
消毒部材２は、図２，４，５に示すように、本実施形態では、綿球２０が用いられている。この綿球２０には、上述の医療器具Ｍの一部を消毒する消毒液が含浸されている。なお、消毒部材２には、綿球２０に限らず、ガーゼや、セルローススポンジ等の発泡体を用いても構わず、形状も特に限定されるものではない。また、消毒液には、例えば、８０％エタノール、１％クロルヘキシジングルコン酸塩液を含む８０％エタノール液やイソプロパノール等の薬液が用いられるが、医療器具を消毒する薬液であれば、特に限定されるものではない。
【００１８】
封止部材４は、図１，２，４に示すように、開口部３２を塞ぐ略円形を呈するシート本体４０と、そのシート本体４０の周縁部４１から延在する舌状の把持部４２を有する。封止部材４には、例えば、アルミラミネートフィルム等が用いられるが、不測の破れを抑制する強度及び綿球２０に含浸させた消毒液の外気への流出（揮発）を抑制する気密性を備えた材料であれば、特に限定されるものではない。
【００１９】
容器本体３は、図１〜４に示すように、略円筒形を呈し、大略、上述の消毒部材２が収容される収容部３１と、他の医療器具消毒用具１の収容部３１を格納可能な格納部３３と、一方が底面部３５に接し且つ他方が格納部３３と連通する連通部３４と、後述する第二側面部３７と第三側面部３８とを係合させる係合手段３９を備える。なお、図３Ｃ，３Ｄに示すように、容器本体３は略円筒形を呈しており、正面、背面、右側面、左側面は同一に表れる。
【００２０】
収容部３１は、略円筒形を呈し、下方に凸状に湾曲している底面部３５とその縁部３５ａに鉛直方向Ｚに立設された第一側面部３６とにより形成されている。この収容部３１の上端には開口部３２を有し、その開口部３２の端面３２ａに上述の封止部材４のシート本体４０が接着される。
【００２１】
第一側面部３６は、その内面３６ｙに容器本体３の軸方向Ａ（鉛直方向Ｚ）に沿う第二リブ３６ａが周方向に沿って適宜間隔をおいて複数設けられている。本実施形態では、第二リブ３６ａは、収容部３１の中心に対し約９０°の間隔で配置されている。この第二リブ３６ａを軸方向Ａに沿って形成することで、消毒時のこすり洗いの際の消毒部材２の回転を抑制する。また、第一側面部３６の上側外面には、封止部材４の把持部４２を含む縁部を収容する収容凹部３６ｂが環状に形成されている。
【００２２】
格納部３３は、内面３７ｙが略円筒形を呈し、第一側面部３６の外面３６ｘに対し略平行である第二側面部３７により形成されている。格納部３３は、収容部３１の下方で且つ収容部３１と同一軸上に位置し、下端には開口部３７ａが形成されている。また、格納部３３（第二側面部３７）の内径Ｒ１は、収容部３１（第一側面部３６）の外径Ｒ２より大である（Ｒ１＞Ｒ２）。よって、開口部３７ａが他の医療器具消毒用具１の収容部３１を受け入れ、格納部３３に他の医療器具消毒用具１の収容部３１を収容することができる。この時、第一側面部３６の外面３６ｘと第二側面部３７の内面３７ｙとが対向している。
【００２３】
第二側面部３７は、その外面に容器本体３の軸方向Ａ（鉛直方向Ｚ）に沿う第一リブ３７ｂが周方向に沿って適宜間隔をかけて複数設けられている。この第一リブ３７ｂにより、第二側面部３７を補強している。
【００２４】
連通部３４は、略円筒形を呈し、底面部３５の縁部３５ａから格納部３３へ向けて立設する第三側面部３８により形成される。この連通部３４は、下端は上述の格納部３３と連通し、上端は底面部３５に接する。
【００２５】
第三側面部３８は、その外面に第二側面部３７が接続される接続部３８ａを有する。この接続部３８ａは、第二側面部３７の上端部３７ｃと第三側面部３８の下端部３８ｃとを容器本体３の径方向Ｘに沿って接続してある。接続部３８ａ（下端部３８ｃ）の内径Ｒ３は、格納部３３（第二側面部３７）の内径Ｒ１より小である（Ｒ１＞Ｒ３）。
【００２６】
また、接続部３８ａは、その外面に他の医療用消毒用具１の第二側面部３７を載置可能な載置部３８ｂを有する。ここで、第二側面部３７の軸方向長さＬ１は、載置部３８ｂから開口部３２までの軸方向長さＬ２よりも大である（Ｌ１＞Ｌ２）。
【００２７】
本実施形態において、係合手段３９は、図４，６に示すように、第二側面部３７の内面から内方に向けて径方向Ｘに突出する第一凸部３９ａと、第三側面部３８の外面から外方に向けて径方向Ｘに突出する第二凸部３９ｂよりなる。第一凸部３９ａ及び第二凸部３９ｂは、周方向に沿って環状に形成されている。
【００２８】
また、本実施形態では、容器本体３全体を合成樹脂による一体成型により形成している。そのため、抜き勾配を考慮して第一側面部３６は上方に向けて漸次薄くすると共に、第二側面部３７及び第三側面部３８は下方に向けて漸次薄くしてある。また、第一リブ３７ｂ及び第二リブ３６ａは軸方向に沿って形成することで、一体成型を阻害することなくリブの機能を確保している。なお、合成樹脂には、消毒部材２の消毒液と反応しない材料が好ましく、例えば、ポリプロピレンやポリエチレンを用いることができる。
【００２９】
上述した医療器具消毒用具１は、図５に示すように、複数を鉛直方向Ｚに順に重ね合わせる（積み上げる）ことで、医療器具消毒ユニット１０を構成する。上述したように、格納部３３の内径Ｒ１は収容部３１の外径Ｒ２より大であり（Ｒ１＞Ｒ２）、第二側面部３７の軸方向長さＬ１は載置部３８ｂから開口部３２までの軸方向長さＬ２よりも大である（Ｌ１＞Ｌ２）。そのため、載置部３８ｂに他の医療器具消毒用具１の第二側面部３７の下端部３７ｄを載置すれば、積み上げた医療器具消毒用具１により、内側（下段）の収容部３１及び封止部材４の全体が覆うことができる。その際、積み上げた医療器具消毒用具１の第二側面部３７が内側の第一側面部３６に対向するので、不測の外圧に対抗し変形による封止部材４の破損等を防止できる。しかも、第二側面部３７の第一リブ３７ｂにより、さらに強固に内側の第一側面部３６を保護される。
【００３０】
さらに、接続部３８ａの内径Ｒ３は、格納部３３の内径Ｒ１より小である（Ｒ１＞Ｒ３）。これにより、積み上げた医療器具消毒用具１の底面部３５が内側の封止部材４のシート本体４０に対向すると共に積み上げた医療器具消毒用具１の接続部３８ａが内側の封止部材４の周縁部４１に対向するので、底面部３５及び接続部３８ａにより不測の外圧による封止部材４の破損等を防止できる。
【００３１】
しかも、積み上げた際に、封止部材４の把持部４２は収容凹部３６ｂに収容されるので、把持部４２は積み上げた医療器具消毒用具１の第二側面部３７に覆われるので、把持部４２からの封止部材４のめくれも防止できる。また、図６に示すように、第一凸部３９ａ及び第二凸部３９ｂの係合により、医療器具消毒ユニット１０の連結状態も維持され、医療器具消毒用具１の不測の抜けが防止される。このように、輸送時や保管時において、不測の封止部材４の破損（破れ）等を防止して、消毒時までの消毒部材２の衛生を担保できる。
【００３２】
加えて、複数の医療器具消毒用具１を一つの医療器具消毒ユニット１０として構成することができるので、医療器具消毒用具１がばらばらになることはなく、輸送や保管をより簡易とすることが可能である。
【００３３】
本実施形態において、医療器具消毒ユニット１０は、図５，７に示すように、その最上段に保護キャップ１１を装着してある。最上段に保護キャップ１１を設けることで、積み上げた医療器具消毒用具１の各々を保護することができる。また、この保護キャップ１１は、消毒部材２及び封止部材４を省略した容器本体３のみからなる。保護キャップ１１を容器本体３と共通化することで、製作コストを低減できる。
【００３４】
この医療器具消毒ユニット１０は、図７に示すように、使用に際し、最下段の医療器具消毒用具１を医療器具消毒ユニット１０から引き抜く。この際、鉛直方向Ｚに引き抜くことで、第一凸部３９ａと第二凸部３９ｂとの係合が解除され、スムースに取り外すことができる。そして、図８（ａ）に示すように、封止部材４の把持部４２を把持して封止部材４を開口部３２から剥がして、収容部３１内の消毒剤が含浸された綿球２０を露出させる。次に、同図（ｂ）に示すように、綿球２０に医療器具Ｍの一部（端部）を押し付けつつ左右に回転させることで、医療器具Ｍの一部（先端、端面）のこすり洗いを行う。第二側面部３７の第一リブ３７ｂにより、作業者は容器本体３を滑らずに保持することができるので、作業性がよい。
【００３５】
最後に、本発明のさらに他の実施形態の可能性について説明する。なお、上述の実施形態と同様の部材には同一の符号を附してある。
上記実施形態において、容器本体３を単一の材料で一体成型により形成したが、これに限られるものではない。例えば、収容部３１と格納部３３とを別々に成型し、組み立てても構わない。その際、収容部３１は消毒液と反応しない材料であればよい。また、格納部３３の材料は、収容部３１と同一であってもよく、異なっていてもよい。格納される収容部３１を保護できる強度を確保できる材料であればよい。
【００３６】
上記実施形態において、収容部３１及び格納部３３を略円筒形としているが、収容部３１を格納部３３に格納可能であればよく、四角筒や六角筒などの多角筒状であってもよい。また、第二側面部３７（格納部３３）の外面３７ｘは、平坦でなくてもよく、例えば、なだらかに径方向に膨出する湾曲面でもよい。
【００３７】
上記実施形態において、係合手段３９を第二側面部３７の内面の第一凸部３９ａと第三側面部３８の外面の第二凸部３９ｂとにより構成した。しかし、係合手段３９はこれに限られるものではなく、例えばネジ機構であってもよく、不測の脱落を防止できる態様のものであればよい。また、第一凸部３９ａ及び第二凸部３９ｂの形状、位置や個数等も上記実施形態に限られない。
【００３８】
また、上記実施形態において、消毒部材２として綿球２０の他、ガーゼや発泡体でも適用可能であるが、これらの消毒部材２に加えて、医療器具Ｍの端部の内側を洗浄するために凸部を有するブラシを収容部３１に設けることも可能である。
【産業上の利用可能性】
【００３９】
本発明は、例えば、コネクタ、ポート、カテーテル、ニードレスバルブ等の医療器具の一部を擦り洗いにより消毒する医療器具消毒用具及び医療器具消毒ユニットとして利用することができる。
【符号の説明】
【００４０】
１：医療器具消毒用具、２：消毒部材、３：容器本体、４：封止部材、１０：医療器具消毒ユニット、１１：保護キャップ、３１：収容部、３２：開口部、３３：格納部、３４：連通部、３５：底面部、３５ａ：縁部、３６：第一側面部、３６ｘ：第一側面部の外面、３７：第二側面部、３７ｙ：第二側面部の内面、３８：第三側面部、３８ａ：接続部、３８ｂ：載置部、Ｍ：医療器具、Ｒ１，Ｒ３：内径、Ｒ２：外径、Ｌ１，Ｌ２：軸方向長さ（高さ）
【図１】
2019141352.tif 000003
【図２】
2019141352.tif 000004
【図３Ａ】
2019141352.tif 000005
【図３Ｂ】
2019141352.tif 000006
【図３Ｃ】
2019141352.tif 000007
【図３Ｄ】
2019141352.tif 000008
【図４】
2019141352.tif 000009
【図５】
2019141352.tif 000010
【図６】
2019141352.tif 000011
【図７】
2019141352.tif 000012
【図８】
2019141352.tif 000013
【手続補正書】
【提出日】平成30年12月20日(2018.12.20)
【手続補正１】
【補正対象書類名】特許請求の範囲
【補正対象項目名】請求項２
【補正方法】変更
【補正の内容】
【請求項２】
前記第一側面部の上側外面には、前記封止部材の周縁部を収容する収容凹部が形成されている請求項１記載の医療器具消毒用具。
【手続補正２】
【補正対象書類名】明細書
【補正対象項目名】０００７
【補正方法】変更
【補正の内容】
【０００７】
係る場合、前記第一側面部の上側外面には、前記封止部材の周縁部を収容する収容凹部が形成されているとよい。この収容凹部に封止部材の周縁部を収容できるので、格納部への他の医療器具消毒用具の収容部の格納や他の医療器具消毒用具の取り外しの際に、封止部材がその移動を阻害することがなく、作業をスムースに行うことができる。しかも、封止部材の周縁部は第二側面部に対向するので、封止部材の破損も防止できる。
【手続補正３】
【補正対象書類名】明細書
【補正対象項目名】００２１
【補正方法】変更
【補正の内容】
【００２１】
第一側面部３６は、その内面３６ｙに容器本体３の軸方向Ａ（鉛直方向Ｚ）に沿う第二リブ３６ａが周方向に沿って適宜間隔をおいて複数設けられている。本実施形態では、第二リブ３６ａは、収容部３１の中心に対し約９０°の間隔で配置されている。この第二リブ３６ａを軸方向Ａに沿って形成することで、消毒時のこすり洗いの際の消毒部材２の回転を抑制する。また、第一側面部３６の上側外面には、封止部材４の把持部４２を含む周縁部を収容する収容凹部３６ｂが環状に形成されている。